(57)【要約】      （修正有）【課題】ほこり等の侵入により電子部品に損傷が与えられることを抑制でき、制御動作が不正確又は不安定になることを抑制することができる制御システムを提供する。【解決手段】電気機器の動作を制御する際に使用する制御システムであって、制御モジュールおよび電源を内部に有する電気機器ハウジングと、制御ノブと、を備える。制御ノブは、当該制御ノブをハウジング１３０、１４０の外面に取り外し可能に取り付けるように構成された取付要素１５０および入出力モジュールを有し、入出力モジュールへの給電に使用され、電源からハウジングを介して電力を無線で伝送するように構成された無線電力伝送システムと、制御ノブからハウジング内の制御モジュールに制御信号を無線で伝送するように構成された無線制御信号モジュールと、をさらに備え、制御モジュールにより受信される制御信号に基づき電気機器の動作を制御する。【選択図】図３
2020061931.tif 000002
【特許請求の範囲】
【請求項１】
電気機器の動作を制御する際に使用する制御システムであって、
制御モジュールおよび電源を内部に有する電気機器用のハウジングと、
制御ノブと、を備え、
前記制御ノブは、当該制御ノブを前記ハウジングの外面に取り外し可能に取り付けるように構成された取付要素および入出力モジュールを有し、
前記入出力モジュールへの給電に使用され、前記電源から前記ハウジングを介して前記入出力モジュールに電力を無線で伝送するように構成された無線電力伝送システムと、
前記制御ノブから前記ハウジングを介して前記ハウジング内の前記制御モジュールに制御信号を無線で伝送するように構成された無線制御信号モジュールと、をさらに備え、
前記制御モジュールにより受信される前記制御信号は前記制御ノブの動作位置又は動作状態を示すものであり、前記制御モジュールは受信した前記制御信号に基づき前記電気機器の動作を制御するように構成される、制御システム。
【請求項２】
前記入出力モジュールは、回転エンコーダモジュール、生体認証スキャナーモジュール、モーション／ジェスチャーセンサモジュール、電子ディスプレイモジュール、および音声入力制御モジュールのうちの少なくとも一つを含む、請求項１に記載の制御システム。
【請求項３】
前記電子ディスプレイモジュールは、タッチセンシティブ電子ディスプレイモジュールを含む、請求項２に記載の制御システム。
【請求項４】
前記無線制御信号モジュールは前記入出力モジュールに動作可能に接続され、前記制御信号は前記入出力モジュールによって受信された入力を示す情報を含むように構成される、請求項１乃至３の何れか１項に記載の制御システム。
【請求項５】
前記入出力モジュールは、振動出力モジュール、音声出力モジュール、光出力モジュール、および電子ディスプレイモジュールのうちの少なくとも一つを含む、請求項１乃至４の何れか１項に記載の制御システム。
【請求項６】
前記制御モジュールは、前記制御ノブが前記ハウジングの外面から取り外されたことに応じて前記電気機器の動作を少なくとも部分的に制限するように構成される、請求項１乃至５の何れか１項に記載の制御システム。
【請求項７】
前記制御モジュールは前記無線制御信号モジュールから前記制御信号を受信するように構成され、前記制御信号は前記入出力モジュールによって受信された入力を示す情報を含み、
前記制御モジュールは、前記情報が所定の基準に一致しない場合には、前記電気機器の動作を少なくとも部分的に制限するように構成される、請求項１乃至６の何れか１項に記載の制御システム。
【請求項８】
前記入出力モジュールによって受信された入力を示す情報は、前記生体認証スキャナーモジュールによって受信された生体認証情報を含む、請求項７に記載の制御システム。
【請求項９】
前記取付要素は磁気取り付け要素を含む、請求項１乃至８の何れか１項に記載の制御システム。
【請求項１０】
前記無線電力伝送システムは、誘導結合および静電結合の少なくとも一つにより電力を伝送するように構成される、請求項１乃至９の何れか１項に記載の制御システム。
【請求項１１】
前記無線制御信号モジュールは無線周波数制御信号モジュールを含む、請求項１乃至１０の何れか１項に記載の制御システム。
【請求項１２】
前記無線周波数制御信号モジュールには、Ｂｌｕｅｔｏｏｔｈ（登録商標）、Ｗｉ−Ｆｉ（登録商標）、およびＺｉｇｂｅｅ（登録商標）に準拠する無線周波数送信機の少なくとも一つが含まれる、請求項１１に記載の制御システム。
【請求項１３】
ユーザーが対話できるユーザー対話型インターフェースを実行するように構成され、遠隔配置されたコンピューティングデバイスを含む、請求項１乃至１２の何れか１項に記載の制御システム。
【請求項１４】
請求項１乃至１３の何れか１項に記載の制御システムと共に使用されるように構成された制御ノブ。
【請求項１５】
請求項１乃至１３の何れか１項に記載の制御システムと共に使用されるように構成された制御モジュール。
【発明の詳細な説明】
【技術分野】
【０００１】
本発明は、電気機器の動作を制御する際に用いる制御システムに関する。
【背景技術】
【０００２】
ストーブトップ、オーブン、洗濯機等の電気機器は、典型的には当該電気機器の機能を制御するように動作可能な制御ノブを含む。制御ノブは制御パネルに取り付けられることがある。また、制御ノブは、電気機器のハウジング内部の他の電子制御回路と物理的および電気的に接続することができる電子部品を含んでもよい。このような制御ノブは、ほこり、液体、その他の粒子の侵入を受け易い。そのため、電子部品に損傷が与えられ、制御動作が不正確又は不安定になる。
【発明の概要】
【発明が解決しようとする課題】
【０００３】
そこで、本発明は、上記の問題の少なくとも一つを軽減することができる制御システムを提供することを目的とする。
【課題を解決するための手段】
【０００４】
本発明は幾つかの広範な形態を含み得る。本発明の実施形態は、本明細書に記載の異なる広範な形態の一つ又は任意の組み合わせを含み得る。
【０００５】
第１の発明は、電気機器の動作を制御する際に使用する制御システムであって、制御モジュールおよび電源を内部に有する電気機器用のハウジングと、制御ノブと、を備え、前記制御ノブは、当該制御ノブを前記ハウジングの外面に取り外し可能に取り付けるように構成された取付要素および入出力モジュールを有し、前記入出力モジュールへの給電に使用され、前記電源から前記ハウジングを介して前記入出力モジュールに電力を無線で伝送するように構成された無線電力伝送システムと、前記制御ノブから前記ハウジングを介して前記ハウジング内の前記制御モジュールに制御信号を無線で伝送するように構成された無線制御信号モジュールと、をさらに備え、前記制御モジュールにより受信される前記制御信号は前記制御ノブの動作位置又は動作状態を示すものであり、前記制御モジュールは受信した前記制御信号に基づき前記電気機器の動作を制御するように構成されるものである。
【０００６】
上記発明において、前記入出力モジュールは、回転エンコーダモジュール、生体認証スキャナーモジュール、モーション／ジェスチャーセンサモジュール、電子ディスプレイモジュール、および音声入力制御モジュールのうちの少なくとも一つを含んでもよい。
【０００７】
上記発明において、前記電子ディスプレイモジュールは、タッチセンシティブ電子ディスプレイモジュールを含んでもよい。
【０００８】
上記発明において、前記無線制御信号モジュールは前記入出力モジュールに動作可能に接続され、前記制御信号は前記入出力モジュールによって受信された入力を示す情報を含むように構成されてもよい。
【０００９】
上記発明において、前記入出力モジュールは、振動出力モジュール、音声出力モジュール、光出力モジュール、および電子ディスプレイモジュールのうちの少なくとも一つを含んでもよい。
【００１０】
上記発明において、前記制御モジュールは、前記制御ノブが前記ハウジングの外面から取り外されたことに応じて前記電気機器の動作を少なくとも部分的に制限するように構成されてもよい。
【００１１】
上記発明において、前記制御モジュールは前記無線制御信号モジュールから前記制御信号を受信するように構成され、前記制御信号は前記入出力モジュールによって受信された入力を示す情報を含み、前記制御モジュールは、前記情報が所定の基準に一致しない場合には、前記電気機器の動作を少なくとも部分的に制限するように構成されてもよい。
【００１２】
上記発明において、前記入出力モジュールによって受信された入力を示す情報は、前記生体認証スキャナーモジュールによって受信された生体認証情報を含んでもよい。
【００１３】
上記発明において、前記取付要素は磁気取り付け要素を含んでもよい。
【００１４】
上記発明において、前記無線電力伝送システムは、誘導結合および静電結合の少なくとも一つにより電力を伝送するように構成されてもよい。
【００１５】
上記発明において、前記無線制御信号モジュールは無線周波数制御信号モジュールを含んでもよい。
【００１６】
上記発明において、前記無線周波数制御信号モジュールには、Ｂｌｕｅｔｏｏｔｈ（登録商標）、Ｗｉ−Ｆｉ（登録商標）、およびＺｉｇｂｅｅ（登録商標）に準拠する無線周波数送信機の少なくとも一つが含まれてもよい。
【００１７】
上記発明において、ユーザーが対話できるユーザー対話型インターフェースを実行するように構成され、遠隔配置されたコンピューティングデバイスを含んでもよい。
【００１８】
第２の発明は、上記第１の発明の制御システムと共に使用されるように構成された制御ノブである。
【００１９】
第３の発明は、上記第１の発明の制御システムと共に使用されるように構成された制御モジュールである。
【発明の効果】
【００２０】
以上のことから、本発明の様々な広範な形態は、既存の技術に対する少なくとも一つの利点を提供するのに役立ち得ることが理解されるであろう。本発明によれば、例えば、電気機器のハウジングの制御パネルからの制御ノブの取り外しを可能にすることは、当該電気機器の表面の清掃を容易にし、又は制御ノブの修理若しくは交換を可能にする。また、ハウジング内の制御モジュールと制御モジュール間における無線電力伝送および制御信号によって、物理的および機械的な配線と相互接続の必要性が軽減された優れたインターフェースを提供することができる。制御ノブが電気機器のハウジングから取り外されたとき、および／又は、生体認証スキャナーがユーザーの所定のバイオメトリック署名を検知できないときに、電気機器が自動的にオフになるように構成し得る安全オフ機能を提供することができる。さらに、ユーザーは制御ノブ又は制御モジュールとの無線通信が可能なように構成され得るスマートフォンなどのポータブルコンピュータデバイスを介して、電気機器の動作を遠隔監視および／又は遠隔制御することができる。
【図面の簡単な説明】
【００２１】
【図１Ａ】図１Ａは本発明の実施形態における電気機器ハウジングの制御パネル表面に取り付けられた制御ノブを示す。
【図１Ｂ】図１Ｂは図１Ａのハウジングを独立した状態で示す。
【図１Ｃ】図１Ｃは図１Ａの制御ノブを独立した状態で示す。
【図２】図２は図１Ａの実施形態によるハウジングの分解図を示す。
【図３】図３は図１Ａの実施形態による制御ノブの分解図を示す。
【図４】図４は本発明の実施形態に従って使用される無線電力伝送システムの機能ブロック図を示す。
【発明を実施するための形態】
【００２２】
本発明の好ましい実施形態について、図１〜図４を参照して説明する。本実施形態は、コンロ、オーブン、洗濯機、電子レンジなどの電気機器の動作を制御する際に使用する制御システムの態様を含む。本発明の代替の実施形態は、他のタイプの電気機器、機械、および装置と共に使用できることが理解されるであろう。
【００２３】
図１Ａは、電気機器ハウジング２００の制御パネル２００Ａの表面に取り外し可能に取り付けられた制御ノブ１００を備えた制御システムの例示的な実施形態を示す。図２を参照すると、電気機器ハウジング２００は、制御モジュール２１０、電源２２０および無線電力送信機アセンブリ２３０をその中に収容する。図３を参照すると、制御ノブ１００は、入出力モジュール１１０およびそれに関連する電気回路１１０Ａ、ならびに電源２２０から無線で電力を受け取るための無線電力受信機アセンブリ１２０を含む。無線電力送信機アセンブリ２３０を介して、制御ノブ１００の構成要素に電力が供給される。また、制御ノブ１００は、入出力モジュール１１０、それに関連する電気回路１１０Ａ、および無線電力受信機アセンブリ１２０を少なくとも部分的に囲むように構成されたベースハウジング１３０およびトップハウジング１４０を含む。制御ノブ１００は、ベースハウジング１３０に移動可能に接続されたリング状の永久磁石を含む取付要素１５０をさらに有し、当該取付要素１５０は電気機器ハウジング２００に配置された制御パネル２００Ａと磁気結合するように構成される。取付要素１５０はしっかりと取り付けられているが、例えば電気機器ハウジング２００をクリーニングする際に、ユーザーの手の力で電気機器ハウジング２００の制御パネル２００Ａの表面から簡単に取付要素１５０を取り外すことができるように、上記永久磁石の磁場強度は制御パネル２００Ａの表面と磁気結合する適切な大きさで選択する必要がある。本発明の代替実施形態では、他の適切なタイプの取付要素を用いて、制御ノブ１００を電気機器ハウジング２００の制御パネル２００Ａの表面に取り外し可能に取り付けることができる。例えば、制御ノブ１００は、任意の適切な機械式固定機構、摩擦嵌合式固定機構、又は接着剤式固定による取り外しが可能となるように電気機器ハウジング２００の制御パネル２００Ａの表面に取り付けて構成してもよい。
【００２４】
制御ノブ１００の入出力モジュール１１０は、回転エンコーダモジュール、生体認証スキャナーモジュール、モーション／ジェスチャーセンサモジュール、タッチセンサ式電子ディスプレイモジュール１１０Ｂ等の入力手段を含み、特定の実施形態では音声入力制御モジュールを含む。ユーザは、制御ノブ１００の入出力モジュール１１０の様々な入力手段の何れかを介してコマンドを入力できる。入力されたコマンドは、処理され、制御ノブ１００に設けられた電気回路１１０Ａによって制御信号に変換され、無線通信システムを介してハウジング２００内の制御モジュール２１０に無線通信される。本実施形態の無線通信システムは、制御モジュール２１０および入出力モジュール１１０に動作可能に接続されたＢｌｕｅｔｏｏｔｈ（登録商標）タイプの無線通信プロトコルトランシーバ（無線制御信号モジュール）を使用して制御信号を通信するように構成される。Ｗｉ−Ｆｉ（登録商標）およびＺｉｇｂｅｅ（登録商標）等の他の無線通信プロトコルも使用することができる。制御ノブ１００から無線制御信号を受信すると、制御モジュール２１０は、受信した無線制御信号を参照することで、電気機器の様々なコンポーネントおよびシステムの動作を制御するように構成されている。制御ノブ１００の入出力モジュール１１０は、振動出力モジュール、音出力モジュール、および光出力モジュール等の出力手段も含み、例えば電気機器の特定の動作状態を示すため、それぞれが振動出力、音出力および光出力を出力するように構成される。電気機器の動作を制御するためにグラフィカルユーザインターフェースを介してユーザ入力コマンドを受信するための入力手段として機能することに加えて、タッチセンサ式電子ディスプレイモジュール１１０Ｂは、所与の時間における電気機器の動作状態を示す情報をグラフィカルユーザインターフェース上に表示するようにも構成される。なお、本発明の代替実施形態では、制御ノブ１００は必ずしもタッチセンシティブディスプレイモジュールを含む必要はなく、例えば非タッチセンシティブ電子ディスプレイモジュールを含んでもよく、又は電気機器の動作状態を示す光もしくは視覚信号を出力するように構成された１つ以上のＬＥＤモジュール等のシンプルな照明ユニットを含んでもよい。
【００２５】
電気機器ハウジング２００内の制御モジュール２１０および制御ノブ１００の入出力モジュール１１０の両方は、スマートフォン、ラップトップコンピュータ、テーブルデバイス等の外部コンピューティングデバイスと通信するようにも構成される。ソフトウェアアプリケーションはコンピューティングデバイス上でダウンロード可能であり、デバイス上で実行可能であるので、それ故ユーザが電気機器の現在の動作状態又は制御ノブ１００の動作状態を示す通信リンクを介して制御モジュール２１０および／又は制御ノブ１００から情報を受け取ることができるユーザーインタラクティブなグラフィカルユーザインターフェースを提供することができる。上記の無線通信リンクは、Ｂｌｕｅｔｏｏｔｈ（登録商標）、Ｗｉ−Ｆｉ（登録商標）又はＺｉｇｂｅｅ（登録商標）の互換プロトコルに準拠して動作するように構成することができる。また、コンピューティングデバイス上で動作可能なグラフィカルユーザインターフェースは、コンピューティングデバイスが制御信号に適切に変換するように構成された制御コマンドであって、コンピューティングデバイスを介した電気機器の遠隔的なユーザー制御を可能にするために制御信号を制御ノブ１００および／又は制御モジュール２１０に無線通信するように適切に変換するように構成された制御コマンドをユーザが入力できるように構成されてもよい。
【００２６】
制御ノブ１００の取付要素１５０が電気機器ハウジング２００の制御パネル２００Ａの表面に磁気的に固定されると、制御ノブ１００のトップハウジング１４０との相対的な位置が固定される。その間に配置された制御ノブ１００のベースハウジング１３０は、制御ノブ１００の取付要素１５０およびトップハウジング１４０の両方に対して回転可能になっている。制御ノブ１００は、取付要素１５０およびトップハウジング１４０に対するベースハウジング１３０の増分回転運動を与える戻り止め機構を有する。制御ノブ１００のベースハウジング１３０の回転運動は、当該ベースハウジング１３０の回転位置が、回転エンコーダおよび関連する電気回路１１０Ａにより無線通信システムを介して電気機器ハウジング２００内の制御モジュール２１０に無線通信することができる適切な制御信号に変換され得る幾つかのユーザ入力手段の一つとして機能する。制御ノブ１００から無線制御信号を受信すると、制御モジュール２１０は、受信した無線制御信号を参照することにより電気機器の動作を制御するように構成される。ベースハウジング１３０の回転運動に応答して生成される制御信号は、例えば電気機器の様々な機能の動作を作動させるためにタッチセンサ式電子ディスプレイモジュール１１０Ｂのグラフィカルユーザインターフェース上に表示されるナビゲーションおよびメニュー項目の選択を制御するために使用され得る制御ノブ１００内のローカルプロセッサモジュールに供給されてもよい。代替実施形態では、制御ノブ１００は、異なる形状および構成で実装されてもよく、回転、旋回、スライド可能および押下可能に構成され得る１つ又は複数の構成部品を備えてもよい。そのような動き又は制御ノブ１００の構成は、入出力モジュール１１０の電気回路１１０Ａによって制御信号に適切に変換され、電気機器の制御モジュール２１０を介して電気機器の動作を最終的に制御することができる。
【００２７】
本実施形態では、制御ノブ１００はプレ貯蔵エネルギー装置を備えていない。その代わりに、無線電力送信機アセンブリ２３０および無線電力受信機アセンブリ１２０で構成される無線電力伝送システムは、電気機器ハウジング２００内の電源２２０からハウジング表面を介して制御ノブ１００に電力を転送して入出力モジュール１１０に電力を供給できるようにし、電気回路１１０Ａと制御ノブ１００の他の電気部品とがリアルタイムで関連付けられる。無線電力伝送システム（無線電力受信機アセンブリ１２０および無線電力送信機アセンブリ２３０）は、一の制御ノブ１００又は制御モジュール２１０に作用して電気機器の様々な機能を同時に制御することができる複数の制御ノブ１００への無線電力伝送を同時に実行するように構成される。無線電力送信機アセンブリ２３０は電気機器ハウジング２００内の電源２２０との接続用として構成され、無線電力受信機アセンブリ１２０は制御ノブ１００の電気部品との接続用として構成される。無線電力送信機アセンブリ２３０は、共に動作可能に接続された信号発生器２３０Ａおよびトランスミッタートランスデューサ２３０Ｂを含む。無線電力受信機アセンブリ１２０は、共に動作可能に接続された受信機トランスデューサ１２０Ａおよび電力プロセッサ１２０Ｂを含む。この例示的な実施形態では、無線電力伝送システムは誘導結合に基づいているが、他の実施形態では、代わりに例えば静電結合に基づく技術を含む他の適切な無線電力伝送技術を採用することができる。
【００２８】
信号発生器２３０Ａは、送信信号をトランスミッタートランスデューサ２３０Ｂに送信する。トランスミッタートランスデューサ２３０Ｂは、送信信号を伝導する導電体によって形成される導電性コイル又は導電性ループであってもよい。幾つかの例では、導体は、電力伝送領域Ｘで磁場を生成するために導体の一部又は全てがシールドされておらず、接地されていない状態で任意の適切な構成で延在してもよい。磁場を生成する導体の部分は、連続ループ以外の構成であってもよく、その長さに沿って一つ又は複数の電力伝送領域を生成してもよい。導体の長さに沿った伝送信号の伝導は、導体の長さに沿った電力伝送領域Ｘを形成する。無線電力送信機アセンブリ２３０の信号発生器２３０Ａは、電源２２０への電気接続のために構成される。電源２２０は、電気的な第１の電力信号を信号発生器２３０Ａに供給する。例えば、電源２２０は、信号発生器２３０Ａの受信ポートに電気的に接続されてもよい。一実施形態では、電源２２０は、所定の電圧および所定の周波数を有するＡＣ電源である。信号発生器２３０Ａは、電源２２０から第１の電力信号を受け取るように構成される。信号発生器２４０Ａは、第１の電力信号から交流送信信号を生成する電子デバイスである。幾つかの実施形態では、信号発生器２３０Ａは、電力および周波数を調整可能な信号発生器である。信号発生器２３０Ａは、トランスミッタートランスデューサ２３０Ｂに電気的に接続されるように構成される。加えて、トランスミッタートランスデューサ２３０Ｂは、信号発生器２３０Ａから適切な距離に配置された位置まで延在していてもよい。適切な距離は、信号発生器２３０Ａが電力伝送領域Ｘの外側に位置するような所定の距離であってもよい。一実施形態では、トランスミッタートランスデューサ２３０Ｂの端子は、信号発生器２３０Ａの対応するポートに接続される。
【００２９】
制御ノブ１００が電気機器ハウジング２００の制御パネル２００Ａの表面に取り付けられると、無線電力受信機１３０Ａは電力伝送領域Ｘ内に配置され、それにより制御ノブ１００の無線電力受信機１２０は、無線電力受信機１３０が磁場から電力を引き出すことができるように無線電力送信機２３０と誘導的に結合される。加えて、導電体によって生成される磁場は、制御ノブの電気部品１１０，１１０Ａを含む負荷１１０，１１０と電気的に接続し得る受信機トランスデューサ１２０Ａの端子に電圧を誘導する。本実施形態では、制御ノブ１００の電気部品は、適切な電力インターフェース回路を介して受信機トランスデューサ１３０Ａの端子から直接電力を供給されるようになっている。しかしながら、代替実施形態では、制御ノブ１００は、受信機トランスデューサ１３０Ａの端子からリアルタイムで充電され、制御ノブ１００内の電気部品に電力を供給するために使用される充電式電池を含むことができる。
【００３０】
本実施形態では、制御ノブ１００は、電気機器の動作を可能にするために制御パネル２００Ａの表面上の所定位置に取り付けられなければならないキーとして安全機能を果たすように構成され得る。例えば、制御モジュール２１０は、制御ノブ１００が電気機器ハウジング２００の制御パネル２００Ａの表面から取り外されたことを感知するように構成されたセンサーモジュールを含むことができる。例えば、近接センサーを使用して、制御モジュール２１０に対する制御ノブ１００の相対的な位置を検知することができ、それにより制御ノブ１００の取り外しを検知すると、制御モジュール２１０は電気機器の部分的又は完全な動作を制限するため、当該電気機器の様々なシステムおよび構成要素に制御信号を自動的に出力する。さらに、および／又は代わりに、制御モジュール２１０は、生体認証スキャナーがユーザ（指紋等）からの所定の生体測定値を検知できない場合に電気機器の動作を部分的又は完全に制限する電気機器の様々な構成要素およびシステムに制御信号を出力するように構成されてもよい。これは、電気機器がコンロ、オーブン、又は子供にとって潜在的に危険な他のデバイスである場合に特に有用であるような電気機器を操作するために、更なるレベルのセキュリティーを提供し得る。さらに代替としては、キーは、電気機器の動作を可能にするために、タッチセンシティブディスプレイのグラフィカルユーザインターフェースを介して、ピンコード、パスワード、パターンコード等を入力することをユーザに要求することにより実装され得る。
【００３１】
本明細書で説明される実施形態に含まれる機能モジュールおよびシステムの何れか１つは、様々なタイプのプロセッサによる実行のためのソフトウェアによって実装されてもよい。実行コードは、例えば、オブジェクト、プロシージャ、関数、又はアルゴリズムとして編成できるコンピュータ命令の１つ又は複数の物理ブロックもしくは論理ブロックを含む場合がある。コンピュータ命令の特定ブロックは、物理的に共に配置する必要はないが、論理的に結合するとモジュールを構成し、モジュールの指定された目的を達成する異なる場所に格納された異なる命令を含んでもよい。実施形態の機能モジュールは、また、カスタム回路又はゲートアレイ、論理チップ等の既製の半導体、トランジスタ、又は他の個別部品を含むハードウェア回路として実装されてもよい。機能モジュールは、フィールドプログラマブルゲートアレイ、プログラマブルアレイロジック、プログラマブルロジックデバイス等のプログラマブルハードウェアデバイスで実装することもできる。実行コードは、単一の命令、複数の命令を含んでもよく、幾つかの異なるコードセグメント、異なるプログラム間、および幾つかの個別のメモリデバイスに分散することができる。同様に、動作データは、本明細書ではデバイス、ユニット等内で識別および図示され、任意の適切な形式で具現化され、任意の適切なタイプのデータ構造内で編成され得る。運用データは、単一のデータセットとして集められるか、異なるストレージデバイスを含む異なる場所に分散され、少なくとも部分的には、システム又はネットワーク上の電子信号としてのみ存在する。
【００３２】
当業者は、本明細書に記載された本発明が、本発明の範囲から逸脱することなく、具体的に記載されたもの以外の変形および修正が許容されることを理解するであろう。当業者に明らかになるそのような変形および修正は全て、上で広く説明した本発明の主旨および範囲内にあるとみなされるべきである。本発明は、そのようなすべての変形および修正を含むことを理解されたい。本発明はまた、個々に又は集合的に、本明細書で言及又は示される全てのステップおよび特徴、および前記ステップ又は特徴の任意の２つ以上のありとあらゆる組み合わせを含む。
【００３３】
本明細書における任意の先行技術への言及は、その先行技術が共通の一般知識の一部を形成するという承認又は示唆ではないし、そのように解釈されるべきではない。
【符号の説明】
【００３４】
１００  制御ノブ
１１０  入出力モジュール
１１０Ａ  電気回路
１１０Ｂ  タッチセンサ式電子ディスプレイモジュール
１２０  無線電力受信機アセンブリ
１２０Ａ  受信機トランスデューサ
１２０Ｂ  電力プロセッサ
１３０  ベースハウジング
１４０  トップハウジング
１５０  取付要素
２００  電気機器ハウジング
２００Ａ  制御パネル
２１０  制御モジュール
２２０  電源
２３０  無線電力送信機アセンブリ
２３０Ａ  信号発生器
２３０Ｂ  トランスミッタートランスデューサ
Ｘ  電力伝送領域
【図１Ａ】
2020061931.tif 000003
【図１Ｂ】
2020061931.tif 000004
【図１Ｃ】
2020061931.tif 000005
【図２】
2020061931.tif 000006
【図３】
2020061931.tif 000007
【図４】
2020061931.tif 000008
【外国語明細書】
2020061931000001.pdf